(57)【要約】【課題】協調マルチポイント送信のポイント接続の方法を提供する。【解決手段】ユーザー端末（ＵＥ）によってダウンリンク送信ポイントから基準信号受信電力（ＲＳＲＰ）測定用の高層配置を受信し、複数のポイントを有する協調マルチポイント動作（ＣｏＭＰ）モバイルネットワークのサービングポイント選択に用い、高層配置は、複数のチャネル状態情報基準信号（ＣＳＩ−ＲＳ）配置を含み、各ＣＳＩ−ＲＳ配置は、非ゼロの伝送電力を有する１つのＣＳＩ−ＲＳリソースとして周波数ドメインおよびタイムドメインの両方のリソース要素（ＲＥ）またはサブキャリアのセットを示しているステップ、複数のＣＳＩ−ＲＳ配置に基づいてＲＳＲＰの測定を実行するステップ、およびＲＳＲＰの測定に基づいて、ＲＳＲＰの測定結果を１つ以上のアップリンク受信ポイントに報告するステップを含む方法。【選択図】図２
2014523158.tif 000002
【特許請求の範囲】
【請求項１】
複数のポイントを有する協調マルチポイント動作（ＣｏＭＰ）モバイルネットワークのサービングポイント選択のために、ユーザー端末（以下、ＵＥと称す）によってダウンリンク送信ポイントから基準信号受信電力（以下、ＲＳＲＰと称す）測定用の高層配置を受信するステップ、
複数のチャネル状態情報基準信号（以下、ＣＳＩ−ＲＳと称す）配置に基づいて前記ＲＳＲＰの測定を実行するステップ、及び、
前記ＲＳＲＰの測定に基づいて、ＲＳＲＰの測定結果を１つ以上のアップリンク受信ポイントに報告するステップを含み、
前記高層配置は、前記複数のＣＳＩ−ＲＳ配置を含み、
各ＣＳＩ−ＲＳ配置は、非ゼロの伝送電力を有する１つのＣＳＩ−ＲＳリソースとして周波数ドメインおよびタイムドメインの両方のリソース要素（ＲＥ）またはサブキャリアのセットを示している
方法。
【請求項２】
前記複数のポイントは、同じ物理セルＩＤを共有し、
各ＣＳＩ−ＲＳリソースは、ＵＥ特定となるように配置され、かつ、物理セルＩＤから独立する請求項１に記載の方法。
【請求項３】
各ＣＳＩ−ＲＳリソースは、周波数ドメインの第１の複数のサブキャリア、タイムドメインの第２の複数のＯＦＤＭシンボル、および／またはコードシーケンスを含む請求項１に記載の方法。
【請求項４】
各ＣＳＩ−ＲＳリソースは、複数のアンテナポートを用いて対応のポイントに配置される請求項１に記載の方法。
【請求項５】
インデックスは、対応のＣＳＩ−ＲＳ配置がマクロ基地局によって用いられることを示すために用いられる請求項１に記載の方法。
【請求項６】
非ゼロの送信電力を有する所定のＣＳＩ−ＲＳ配置は、マクロ基地局によって用いられる請求項１に記載の方法。
【請求項７】
前記複数のポイントは、少なくとも１つのリモートラジオヘッド（以下、ＲＲＨと称す）を含み、前記ＲＲＨの対応のＲＳＲＰの測定結果にバイアス値が用いられる請求項１に記載の方法。
【請求項８】
前記バイアスが用いられた後、前記ＵＥは、前記ＲＳＲＰ報告の測定結果のサブセットを選択する請求項７に記載の方法。
【請求項９】
複数のポイントを有する協調マルチポイント動作（ＣｏＭＰ）モバイルネットワークのＣＳＩ報告のために、ユーザー端末（以下、ＵＥと称す）によってダウンリンク送信ポイントからチャネル状態情報（以下、ＣＳＩと称す）測定用の高層配置を受信するステップ、
複数のチャネル状態情報基準信号（以下、ＣＳＩ−ＲＳと称す）配置に基づいてＣＳＩの測定を実行するステップ、および
前記ＣＳＩの測定に基づいて、ＣＳＩの測定結果を１つ以上のアップリンク受信ポイントに報告するステップを含み、
前記高層配置は、前記複数のＣＳＩ−ＲＳ配置を含み、
各ＣＳＩ−ＲＳ配置は、非ゼロの伝送電力を有する１つのＣＳＩ−ＲＳリソースとして周波数ドメインおよびタイムドメインの両方のリソース要素（ＲＥ）またはサブキャリアのセットを示している
方法。
【請求項１０】
前記ＣＳＩの測定結果は、サービングポイントのランクインジケータ（ＲＩ）、チャネル品質インジケータ（ＣＱＩ）、およびプリコーディングマトリクスインジケータ（ＰＭＩ）を含む請求項９に記載の方法。
【請求項１１】
サービングポイントは、少なくとも１つのダウンリンク送信ポイントおよび１つのアップリンク受信ポイントを含む請求項９に記載の方法。
【請求項１２】
前記ダウンリンク送信ポイントおよび前記アップリンク受信ポイントは同じポイントである請求項９に記載の方法。
【請求項１３】
前記ダウンリンク送信ポイントおよび前記アップリンク受信ポイントは異なるポイントである請求項９に記載の方法。
【請求項１４】
複数のポイントを有する協調マルチポイント動作（ＣｏＭＰ）モバイルネットワークのサービングポイント選択のために、基地局によって基準信号受信電力（以下、ＲＳＲＰと称す）測定用の第１の高層配置を送信するステップ、
第１の複数のチャネル状態情報基準信号（以下、ＣＳＩ−ＲＳと称す）配置に基づいてＲＳＲＰの測定を受信するステップ、および
前記ＲＳＲＰの測定結果に基づいて、１つ以上のサービングポイントを選択するステップを含み、
前記第１の高層配置は、前記第１の複数のＣＳＩ−ＲＳ配置を含み、
各ＣＳＩ−ＲＳ配置は、非ゼロの伝送電力を有する１つのＣＳＩ−ＲＳリソースとして周波数ドメインおよびタイムドメインの両方のリソース要素（ＲＥ）またはサブキャリアのセットを示している
方法。
【請求項１５】
インデックスは、対応のＣＳＩ−ＲＳ配置がマクロ基地局によって用いられることを示すために用いられる請求項１４に記載の方法。
【請求項１６】
前記複数のポイントは、少なくとも１つのリモートラジオヘッド（以下、ＲＲＨと称す）を含み、前記基地局は、ＲＲＨ用にバイアスを配置し、範囲を拡張する請求項１４に記載の方法。
【請求項１７】
ＣＳＩ測定および報告用の第２の高層配置を送信するステップ、および
第２の複数のＣＳＩ−ＲＳ配置に基づいてＣＳＩフィードバックを受信するステップを更に含み、
前記第２の高層配置は、第２の複数のチャネル状態情報基準信号（ＣＳＩ−ＲＳ）配置を含み、
各ＣＳＩ−ＲＳ配置は、現在のサービングポイント用の非ゼロの伝送電力を有する前記第２の複数のＣＳＩ−ＲＳ配置を含み、
前記第２の複数のＣＳＩ−ＲＳ配置は、前記第１の複数のＣＳＩ−ＲＳ配置のサブセットに属する請求項１４に記載の方法。
【請求項１８】
前記ＣＳＩの測定結果は、前記サービングポイントのランクインジケータ（ＲＩ）、チャネル品質インジケータ（ＣＱＩ）、およびプリコーディングマトリクスインジケータ（ＰＭＩ）を含む請求項１７に記載の方法。
【請求項１９】
前記サービングポイントは、少なくとも１つのダウンリンク送信ポイントおよび１つのアップリンク受信ポイントを含む請求項１７に記載の方法。
【請求項２０】
前記ダウンリンク送信ポイントおよび前記アップリンク受信ポイントは同じポイントまたは異なるポイントである請求項１９に記載の方法。
【発明の詳細な説明】
【技術分野】
【０００１】
本出願は、３５Ｕ.Ｓ.Ｃ.§１１９の下、２０１１年４月１１日に出願された米国特許仮出願番号第６１／５２２５７５号「Methods of Point Association for Cooperative Multiple Point Transmission,」からの優先権を主張するものであり、これらの全ては引用によって本願に援用される。
【０００２】
本発明は、協調マルチポイント（ＣｏＭＰ：Ｃｏｏｐｅｒａｔｉｖｅ  ｍｕｌｔｉｐｌｅ  ｐｏｉｎｔｓ）に関し、特に、ＣｏＭＰ送信に用いるダウンリンクおよびアップリンクの両方のポイント接続（ａｓｓｏｃｉａｔｉｏｎ）の方法に基づくチャネル状態情報基準信号（ＣＳＩ−ＲＳ）に関するものである。
【背景技術】
【０００３】
発展型ロングタームエボリューション（ＬＴＥ−Ａ）システムは、異機種ネットワークトポロジに配置されるさまざまな基地局を用いることによってスペクトル効率を向上させている。異機種ネットワークは、マクロ、ピコ、フェムト、およびリレー基地局の組み合わせを用いて、フレキシブル且つ低コストの配置（ｄｅｐｌｏｙｍｅｎｔ）を可能にし、均一なブロードバンドのユーザー体験を提供する。異機種ネットワークでは、基地局間のより動的な資源協調、より良い基地局の選択戦略、及び、効率的な干渉の管理のためのより進展させて技術によって、従来の同機種ネットワークに比べて、スループットおよびユーザーエクスペリエンスで大きな利益を提供することができる。
【０００４】
協調マルチポイント（ＣｏＭＰ）、マルチサイトＭＩＭＯ基地局（ｍｕｌｔｉ−ＢＳ／ｓｉｔｅ ＭＩＭＯ）としても知られている技術は、発展型ＬＴＥシステムのセルエッジ（ｃｅｌｌ−ｅｄｇｅ）のＵＥの性能を向上させるのに用いられる。ＬＴＥリリース１１では、ＣｏＭＯ送受信のさまざまな配置シナリオが導入されている。異なるＣｏＭＰシナリオの中では、ＣｏＭＰシナリオ４は、低電力リモートラジオヘッド（ＲＲＨ）を有する異機種ネットワークの単一のセル識別子（ＩＤ）のＣｏＭＰを示している。ＣｏＭＰシナリオ４では、低電力ＲＲＨは、マクロｅＮＢによって提供されたマクロセルのカバレッジ内に配置されている。マクロセルのカバレッジの内部のマクロｅＮＢとＲＲＨのセルＩＤは同じであるため、ＵＥは、周波数リソースを再使用することができない。よって、ＣｏＭＰシナリオ３に比べ、ＣｏＭＰシナリオ４は、システムのスループットが低下し、マクロセルのカバレッジ内の低電力ノードは、互いに異なるセルＩＤを有する。
【０００５】
ＣｏＭＰ技術では、ポイントは、地理的に同一位置に配置された（ｃｏ−ｌｏｃａｔｅｄ）送信／受信アンテナ（例えばマクロｅＮＢまたはＲＲＨ）のセット（ｓｅｔ）として定義される。ＣｏＭＰシナリオ４のマクロセルのカバレッジ内の周波数を再使用できるようにするために、ＵＥ固有のＭＩＭＯプリコーディングは、１つの可能な方法であるが、各ポイントとＵＥ間で各接続の正確なチャネル状態情報（ＣＳＩ）を必要とする。正確なＣＳＩを得るためには、ＵＥは、ＣＳＩを用いて、他のポイントとの干渉なしに周波数リソースを再使用することができるように、複数のポイント間の接続と測定／フィードバックが必要である。ＣｏＭＰシナリオ４のポイント接続には潜在的な問題がある。ポイント接続を可能にするのに必要なポイント接続および測定とフィードバックの手順が求められている。
【発明の概要】
【発明が解決しようとする課題】
【０００６】
ＣｏＭＰ配置シナリオ４のポイント接続を可能にするのに必要なポイント接続および測定とフィードバックの手順が述べられ、関連の方法を提供する。
【課題を解決するための手段】
【０００７】
本発明では、サービングｅＮＢは、ＲＡＲＰ測定がサービングポイント選択用にＵＥによって用いられるように第１の高層配置を配置する。第１の高層配置は、第１の複数のチャネル状態情報基準信号（ＣＳＩ−ＲＳ）配置を含み、各ＣＳＩ−ＲＳ配置は、非ゼロの伝送電力を有する１つのＣＳＩ−ＲＳリソースとして周波数ドメインおよびタイムドメインの両方のリソース要素（ＲＥ）またはサブキャリアのセットを示している。次いで、ＵＥは、配置された第１の複数のＣＳＩ−ＲＳリソースに基づいて基準信号受信電力（ＲＳＲＰ）を実行し、ＲＳＲＰの測定結果をサービングｅＮＢに報告する。
【０００８】
また本発明では、サービングｅＮＢは、報告されたＲＳＲＰの測定結果に基づいてＣＳＩ報告用に第２の高層配置を配置する。第２の高層配置は、第１の複数のＣＳＩ−ＲＳ配置のサブセットであり得る第２の複数のＣＳＩ−ＲＳ配置を含む。ＵＥの測定の負担およびフィードバックオーバーヘッドは、第１および第２の高層ＣＳＩ−ＲＳ配置で低減される。
【０００９】
また本発明では、サービングｅＮＢは、ＣＳＩ−ＲＳ配置情報をＵＥに送信する。１つの実施形態では、ｅＮＢは、パスロス（ＰＬ）推定用にＣＳＩ−ＲＳ配置インデックスまたはポートを含む送信電力制御（ＴＰＣ）命令をＵＥに送信する。他の実施形態では、ｅＮＢは、ＰＬ推定用にＣＳＩ−ＲＳ配置インデックスまたはポートを含むＲＲＣシグナリングメッセージをＵＥに送信する。ＵＥは、受信したＣＳＩ−ＲＳ配置インデックスまたはＣＳＩ−ＲＳポートと関連した対応のＣＳＩ−ＲＳリソースに基づくダウンリンクパスロスを推定する。次いで、ＵＥは、推定されたダウンリンクパスロスを用いてダウンリンク電力制御をする。
【図面の簡単な説明】
【００１０】
【図１】本実施態様に基づくＣｏＭＰ配置シナリオを有する移動通信ネットワークを例示している。
【図２】協調マルチポイント送信のポイント接続の実施態様を例示している。
【図３】本実施態様に基づくＵＥおよびｅＮＢの簡略ブロック図である。
【図４】ＣｏＭＰリソース管理セットのサービングポイント選択およびＣＳＩの報告を例示している。
【図５】所定のＣＳＩ−ＲＳ配置インデックスおよび対応のＣＳＩ−ＲＳ配置の一例を例示している。
【図６】ＣｏＭＰ配置シナリオ４のサービングポイント選択およびＣＳＩの報告に用いる測定配置の一例を例示している。
【図７】ダウンリンク制御シグナリングポイントおよびアップリンク受信ポイントの一例を例示している。
【図８】ＣｏＭＰ配置シナリオのアップリンク電力制御の一例を例示している。
【図９】本実施態様に基づくＣｏＭＰ配置シナリオからの測定およびフィードバック配置の方法のフローチャートである。
【発明を実施するための形態】
【００１１】
図１は、本実施態様に基づくＣｏＭＰ配置シナリオ４を有する移動通信ネットワーク１００を例示している。移動通信ネットワーク１００は、マクロｅＮＢ１０１、複数のリモート無線ヘッドＲＲＨ＃０〜＃３、およびユーザー端末（ＵＥ）１０２を含む。図１は、ＬＴＥリリース１１のネットワークの協調マルチポイント（ＣｏＭＰ）配置シナリオ４の例を例示している。ＣｏＭＰ配置シナリオ４では、低電力ＲＲＨは、マクロｅＮＢ１０１によって提供されたマクロセルのカバレッジ内に配置され、ＲＲＨによって確立されたダウンリンク送信ポイントとアップリンク受信ポイントは、マクロセルと同じセルＩＤ（例えばセルＩＤ＃０）を有する。ＣｏＭＰ配置シナリオ４のマクロセルのカバレッジ内の周波数を再使用できるようにするために、ＵＥ固有の多入力他出力（ＭＩＭＯ：Ｍｕｌｔｉｐｌｅ−ｉｎｐｕｔ  Ｍｕｌｔｉｐｌｅ−ｏｕｔｐｕｔ）プリコーディングの技術が用いられる。
【００１２】
ＵＥ固有のＭＩＭＯプリコーディングは、各ポイントとＵＥ間の各接続の正確なチャネル状態情報（ＣＳＩ）フィードバックを必要とする。正確なＣＳＩを得るためには、ＵＥは、ＣＳＩを用いて、他のポイントとの最小化された干渉でそのサービングポイントの周波数リソースを再使用することができるように複数のポイント間の接続とＣＳＩ測定／フィードバックが必要である。ＣｏＭＰ配置シナリオ４のポイント接続にはいくつかの問題がある。まず、サービングポイント選択にどのような測定配置（ｍｅｓｕｒｅｍｅｎｔ  ｃｏｎｆｉｇｕｒａｔｉｏｎ）をＵＥが必要とするか。第２に、ダウンリンク制御シグナリングおよびダウンリンクデータ送信ポイントのＣＳＩフィードバック用にどのＣＳＩ測定配置が測定されるのかを、どのようにしてＵＥがわかるのか。第３に、ダウンリンク制御信号ポイントがアップリンク受信ポイントと異なる場合、電力制御の方程式（ｅｑｕａｔｉｏｎ）のアップリンクパスロス（ＰＬ）をどのようにＵＥが推定するか？
【００１３】
注意するのは、ＣｏＭＰ技術では、ポイントは地理的に同一位置に配置された送信／受信アンテナ（例えばマクロｅＮＢまたはＲＲＨ）のセット（ｓｅｔ）として定義される。サービングポイントは、ダウンリンク送信またはアップリンク受信のいずれかのＣｏＭＰ動作にかかわるポイントまたはポイントのセットとして定義される。ダウンリンク制御シグナリングポイントは、ＵＥが特定の制御シグナリングを受信するポイントまたはポイントのセットである。ダウンリンクデータ送信ポイントは、ＵＥがＵＥ特定のデータを受信するポイントまたはポイントのセットである。アップリンク受信ポイントは、ＵＥがＵＥ特定のフィードバックまたはデータを送信するポイントまたはポイントのセットである。
【００１４】
図２は、移動通信ネットワーク２００の協調マルチポイント送信のポイント接続の３つの新しい態様を例示している。ＵＥ２０１は、無線リソース制御（ＲＲＣ）接続とサービング基地局を確立する（ステップ２１１）。ＣｏＭＰ技術により、ＵＥ２０１は、１つ以上のサービングポイント２０２と通信することができる。第１の態様では、非ゼロの伝送電力を有する複数のＣＳＩ−ＲＳ配置は、ＵＥがサービングポイント選択用に測定を行うように配置され、配置されたＣＳＩ基準信号の基準信号受信電力（ＲＳＲＰ：Ｒｅｆｅｒｅｎｃｅ  Ｓｉｇｎａｌ  Ｒｅｃｅｉｖｅｄ  Ｐｏｗｅｒ）は、サービングポイント選択用に測定される（ステップ２１２）。第２の態様では、サービングポイント選択に基づいて、非ゼロの伝送電力を有する新しいＣＳＩ−ＲＳ配置は、ＵＥがチャネル推定とＣＳＩ報告を実行するように配置される（ステップ２１３）。第３の態様では、ダウンリンク制御シグナリングポイントは、ＵＥがアップリンクＰＬ推定用に用いることができるＣＳＩ−ＲＳ配置インデックスまたはＣＳＩ−ＲＳポートを、ＵＥに送信する。
【００１５】
図３は、本実施態様に基づくＵＥ３０１およびｅＮＢ３０２の簡略ブロック図である。ＵＥ３０１およびｅＮＢ３０２は、次に続く任意の通信プロトコルを動作することができる。説明のため、開示された実施形態は、ＬＴＥプロトコルに基づいて動作する。ＵＥ３０１は、ＲＦモジュール３１１に接続された送受信アンテナ３１０を含む。送受信アンテナ３１０は、ＲＦ信号を受信または送信する。なお、図２では、１つのアンテナしかＵＥ３０１に表示されていないが、無線端子は、受信および送信用に複数のアンテナを有してもよい。ＲＦモジュール３１１は、送受信アンテナ３１０またはベースバンドモジュール３１２から信号を受信し、受信した信号をベースバンド周波数に変換する。ベースバンドモジュール３１２は、ＵＥ３０１から送信された、またはＵＥ３０１によって受信された信号を処理する。このような処理は、例えば、変調／復調、チャネルコーディング／チャネルデコーディング、およびソースコーディング／ソースデコーディングを含む。ＵＥ３０１は、デジタル信号を処理し、他の制御機能を提供するプロセッサ３１３を更に含む。メモリ３１４は、プログラム命令およびデータを保存し、ＵＥ３０１の動作を制御する。同様に、ｅＮＢ３０２は、ＲＦモジュール３３１、ベースバンドモジュール３３２、プロセッサ３３３、およびメモリ３３４に接続された送受信アンテナ３１０を含む。
【００１６】
ＵＥ３０１は、一般的に定義された層状プロトコルスタック（ｌａｙｅｒｅｄ ｐｒｏｔｏｃｏｌ ｓｔａｃｋ）３１５によってｅＮＢ３０２と通信する。層状プロトコルスタック３１５は、ＵＥとモビリティ管理エンティティ（ＭＭＥ）間のプロトコルであり、上層のネットワーク制御を提供する非アクセスストラタム（ＮＡＳ）層３１６、無線リソース制御（ＲＲＣ）層３１７、パケットデータコンバージェンスプロトコル（ＰＤＣＰ）層３１８、無線リンク制御（ＲＬＣ）層３１９、メディアアクセス制御（ＭＡＣ）層３２０、および物理層（ＰＨＹ）３２１を含む。異なるモジュールおよびプロトコル層モジュールは、機能モジュールまたは論理的エンティティであることができ、ソフトウェア、ファームウェア、ハードウェア、またはその任意の組み合わせであることができる。プロセッサによって前記モジュールを実行した時、異なるモジュールが一緒に動作し、ＵＥ３０１およびｅＮＢ３０２に各種の通信動作を実行させる。
【００１７】
具体的に言うと、ＵＥ３０１は、測定を実行する測定モジュール３２２を含み、配置（ｃｏｎｆｉｇｕａｔｉｏｎ）モジュール３４２を介してｅＮＢ３０２によって配置される（ｃｏｎｆｉｇｕｒｅｄ）。測定モジュール３２２は、通常、ＰＨＹ層機能を含み、配置モジュール３４２は通常、ＲＲＣ層機能を含む。ＵＥが異なるタイプの参照信号を実行するために異なるタイプの測定がある。モビリティ管理では、セル固有基準信号（ＣＲＳ：Ｃｅｌｌ−Ｓｐｅｃｉｆｉｃ  Ｒｅｆｅｒｅｎｃｅ  Ｓｉｇｎａｌｓ）は、ＵＥによって用いられ、セルの信号強度および／または品質を測定する。例えば、サービングセルおよび隣接セルの基準信号受信電力（ＲＳＲＰ）レベルは、ＵＥによって測定され、各セルの信号品質を判定する。よって、セル固有基準信号の信号強度のＲＳＲＰの測定は、モビリティ管理（例えばハンドオーバーの決定をする）の入力として異なるセル間で順位付けを助けることができる。一般的に、ＣＲＳは、ＰＨＹ層によって各セルの物理セルＩＤとバンドル（ｂｕｎｄｌｅ）されるため、セル固有である。
【００１８】
ＣｏＭＰ配置シナリオ４では、ＣＲＳに加え、ＣＳＩ−ＲＳがサービングポイント選択に用いられ、周波数の再使用を介してセル分割ゲインと高システムスループットを実現する。ＣＳＩ−ＲＳは、ＬＴＥ−Ａｄｖａｎｃｅｄに定義された新しい基準信号であり、ＲＳＲＰとＣＳＩ測定に用い、ランクインジケータ（ＲＩ）、チャネル品質インジケータ（ＣＱＩ）、およびプリコーディングマトリクスインジケータ（ＰＭＩ）を含む。ＣＲＳと異なり、ＣＳＩ−ＲＳは、ＵＥ固有であることができ、且つ各セルの物理セルＩＤとバンドルされない。また、ＣＳＩ−ＲＳは、高層（例えばＲＲＣ層）によって指定され、８つのアンテナまでサポートされる。よりよい測定の精度は、ＣＳＩ−ＲＳ測定によって実現され、サービングポイント選択とＣＳＩフィードバック報告に用いることができる。
【００１９】
図４は、ＬＴＥ−ＡｄｖａｎｃｅｄネットワークのＣｏＭＰリソース管理セット４００のサービングポイント選択およびＣＳＩフィードバックの報告の例を例示している。サービングポイント選択およびＣＳＩフィードバックの報告用に異なるポイントから送信された異なるＣＳＩ−ＲＳをＵＥで測定させるために、ＣＳＩ−ＲＳリソース用の測定配置は、ＵＥ用に配置される必要がある。図４の例では、少なくともダウンリンク制御シグナリングポイントの配置を含むＣＳＩ−ＲＳ配置のセットは、ＣｏＭＰリソース管理セット４００として定義される。ＣｏＭＰリソース管理セット４００は、ＲＳＲＰの測定によってサービングポイント選択用にＵＥに配置される。サービングポイント選択のプロセスは、特定のＵＥをサーブするＣｏＭＰリソース管理セットから１つ以上のサービングポイントを識別することである。ＣＳＩ報告セット４０１は、ＣｏＭＰリソース管理セット４００のサブセットである。ＣＳＩ報告セット４０１は、ＣＳＩフィードバックの報告用にＵＥに配置される。異なるＣＳＩ−ＲＳ配置により、ＵＥの測定の負担（ｂｕｒｄｅｎ）およびフィードバックオーバーヘッドが低減される。
【００２０】
ＣＳＩ報告セット（サービングポイント）４０１内では、いくつかのポイントは、ダウンリンク制御シグナリングポイントおよびダウンリンクデータ送信ポイントを含むダウンリンク送信ポイントであり、いくつかのポイントは、アップリンク受信ポイントである。ダウンリンク送信ポイント４０２およびアップリンク受信ポイント４０３の両方ともＣＳＩ報告セット４０１のサブセットである。いくつかのシナリオでは、ダウンリンク送信ポイントおよびアップリンク受信ポイントは、同じポイントである。しかしながら、いくつかの他のシナリオでは、ダウンリンク送信ポイントおよびアップリンク受信ポイントは、異なるポイントである。
【００２１】
図５は、ＣＳＩ−ＲＳ配置インデックスおよび対応のＣＳＩ−ＲＳリソース配置の一例を例示している。ｅＮＢがＣＳＩ−ＲＳ配置のシグナリングをＵＥに送信した時、シグナリングは、１）非ゼロの伝送電力を有する単一のＣＳＩ−ＲＳ配置のインデックス、および対応するアンテナポート数／伝送電力／時間位置、および、２）ゼロの伝送電力を有する複数の４ポートＣＳＩ−ＲＳ配置のインデックスを含み、基準信号の対応の時間位置およびスクランブリングコードシーケンスは、リリース１０の物理セルＩＤによって判定される。リリース１１では、非ゼロの伝送電力を有する複数のＣＳＩ−ＲＳ配置のインデックスおよび対応のアンテナポートもＲＲＣ配置によって発信される。
【００２２】
図５の例では、テーブル５００は、Ｘアンテナポートの複数のＣＳＩ−ＲＳ配置に定義され、Ｘは１、２、４、または８とすることができる。各ＣＳＩ−ＲＳ配置は、ＣＳＩ−ＲＳ配置インデックスを有し、各ＣＳＩ−ＲＳ配置は、対応のＣＳＩ−ＲＳと関連した周波数ドメインおよびタイムドメインの両方のリソース要素（ＲＥ）またはサブキャリアのセットを示し、１つのＣＳＩ−ＲＳリソースとして呼ばれる。例えば、ＣＳＩ−ＲＳ配置インデックス０は、サブフレームの物理リソースブロックペア（ＰＲＢ−ｐａｉｒ）のＲＥまたはサブキャリアのセットを示し、ＣＳＩ−ＲＳ配置インデックス１は、サブフレームの物理リソースブロックペア（ＰＲＢ−ｐａｉｒ）のＲＥまたはサブキャリアのもう１つのセットを示している。ＵＥは、ＣＳＩ−ＲＳ配置インデックスに基づいて、対応のＣＳＩ−ＲＳリソースの対応のＣＳＩ−ＲＳリソースに測定を行うことができる。注意するのは、いくつかのＣＳＩ−ＲＳ配置は、ゼロの伝送電力を有し、主にＵＥによってレートマッチングに用いられる。一方では、測定の目的のために、非ゼロの伝送電力を有する複数のＣＳＩ−ＲＳ配置が用いられる。
【００２３】
図６は、ＣｏＭＰ配置シナリオ４のサービングポイント選択およびＣＳＩの報告に用いる測定配置の一例を例示している。移動通信ネットワーク６００では、ＵＥ６０１は、サービング基地局とのＲＲＣ接続を確立する。ＣｏＭＰ技術により、ＵＥ６０１は、１つ以上のサービングポイント６０２と通信することができる。サービングポイント６０２は、少なくとも１つのダウンリンク送信ポイント６０３および少なくともダウンリンク制御シグナリングポイント１つのアップリンク受信ポイント６０４を含む。ステップ６１１では、サービング基地局は、ダウンリンク送信ポイント６０３を通して高層（例えば、ＲＲＣ層）の測定配置によってＵＥ６０１を配置する。高層配置は、サービングポイント選択用にＵＥ６０１で用いられる測定配置である。より具体的に言えば、高層配置は、非ゼロの伝送電力をもつ複数のチャネル状態情報基準信号（ＣＳＩ−ＲＳ）配置を含む。各ＣＳＩ−ＲＳ配置は、非ゼロの伝送電力を有する１つのＣＳＩ−ＲＳリソースとして周波数ドメインおよびタイムドメインの両方のリソース要素（ＲＥ）またはサブキャリアのセットを示している。例えば、複数のＣＳＩ−ＲＳ配置は、ＲＲＣシグナリングを介してサービング基地局によって配置される。各配置のＣＳＩ−ＲＳリソースは、１つ以上の対応するポイントで用いられ、それに応じてＣＳＩ−ＲＳを送信する。
【００２４】
複数のＣＳＩ−ＲＳ配置を受信し、ＵＥ６０１は、複数の配置されたＣＳＩ−ＲＳリソース上でＲＳＲＰの測定を実行する（ステップ６１２）。本例では、インデックスは、マクロｅＮＢによって用いられるＣＳＩ−ＲＳ配置を示すために用いられる。例えば、図５の表５００のＣＳＩ−ＲＳ配置インデックスは、ＣＳＩ−ＲＳ配置とともにＵＥ６０１に送信される。他の例では、非ゼロの送信電力の仮定を有する複数のＣＳＩ−ＲＳ配置の１つは、デフォルトでマクロｅＮＢによって用いられる。例えば、非ゼロの送信電力の仮定を有する第１のＣＳＩ−ＲＳ配置は、マクロｅＮＢによって用いられる。マクロｅＮＢによって用いられる特定のＣＳＩ−ＲＳ配置をＵＥ６０１に通知する理由は、ポイント接続バイアス（ｐｏｉｎｔ ａｓｓｏｃｉａｔｉｏｎ ｂｉａｓ）を用いて範囲拡大をするためである。どのＣＳＩ−ＲＳ配置がマクロｅＮＢによって用いられるかを知らなければ、ＵＥ６０１がどのＲＳＲＰの測定をポイント接続バイアスに用いるかを知ることは不可能である。
【００２５】
ポイント接続バイアスは、ＣｏＭＰ配置シナリオ４のＲＲＨの範囲拡大のための技術である。通常、ＲＲＨは、マクロｅＮＢに比べてより低い送信電力を有する。ＲＲＨの範囲を拡大するために、量子化バイアス値がＲＲＨのＲＳＲＰの測定結果に用いられる。例えば、５のバイアス値がＲＲＣシグナリングを介してＵＥに発信されることができる。マクロｅＮＢのＲＳＲＰが５であり、且つＲＲＨのＲＳＲＰが１である場合、バイアスの後ＲＲＨに報告されたＲＳＲＰは、６である。このポイント接続バイアスにより、ＣｏＭＰ配置シナリオ４は、範囲拡大を実行し、システムスループットを増強することができる。ポイント接続バイアスの値は、短時間内で変化しないため、ＲＲＣシグナリングは適切である。
【００２６】
ステップ６１３では、ポイント接続バイアスを行った後、ＵＥ６０１は、ＲＳＲＰの測定結果を現在のアップリンク受信ポイント６０４に報告する。各ＲＳＲＰの測定結果は、各ＣＳＩ−ＲＳ配置への各々の測定の時間平均値であり、次いで、ポイント接続バイアスに用いられる。一例では、測定報告は、受信信号強度に基づいて、モニターされたＣＳＩ−ＲＳ配置の順序を決める順序リストである。ＵＥ６０１は、全てのＲＳＲＰの測定結果を報告、またはよりよい受信信号強度を有するＲＳＲＰの測定結果の一部を報告することができる。報告されたＲＳＲＰの測定結果に基づいて、サービングｅＮＢは、ＣＳＩ報告用のサービングポイントを選択する（ステップ６１４）。サービングポイントは、ダウンリンクおよびアップリンクのサービングポイントの両方を含む。例えば、サービングｅＮＢは、ＣＳＩ報告用の新しいＣＳＩ−ＲＳ配置として、最良のＲＳＲＰの測定結果を有するＣｏＭＰリソース管理セットから３つのポイントを選択する。ステップ６１５では、現在のダウンリンク制御信号ポイントまたはダウンリンクデータ送信ポイント６０３は、新しいＣＳＩ報告および他の必要な情報用の新しいＣＳＩ−ＲＳ配置を、ＵＥ６０１に送信する。
【００２７】
ＵＥ６０１は、選択したサービングポイントから非ゼロの送信電力を有する新しいＣＳＩ−ＲＳ配置に対してＣＳＩだけを測定する必要がある。他のＣＳＩ−ＲＳ配置は、主にレートマッチングに用いられる。ＣＳＩ報告用のＣＳＩ−ＲＳ配置で、ＵＥ６０１は、どのＣＳＩ−ＲＳ配置が、ダウンリンク制御シグナリングポイントまたはダウンリンクデータ送信ポイントのいずれかのＣＳＩフィードバックを測定するかを知ることができる。ＵＥの測定の負担およびフィードバックオーバーヘッドは、新しいＣＳＩ−ＲＳ配置で低減される。
【００２８】
本例では、ＵＥ６０１は、どのＣＳＩ−ＲＳ配置がサービングポイント用かを知らない。非ゼロの送信電力を有するＣＳＩ−ＲＳ配置の全てのサブセットまたは１つのサブセットが、サービングポイントに用いられる。１つ以上のサービングポイントがダウンリンク制御シグナリングポイントに用いられる。例えば、非ゼロの送信電力を有する第１のＫ  ＣＳＩ−ＲＳ配置がダウンリンク制御シグナリングポイントに用いられる。なおＫは整数である。ダウンリンクデータ送信ポイントからのデータトラフィック用のＣＳＩ−ＲＳ配置は、ＣＳＩフィードバック用のダウンリンクスケジューラーまたはＲＲＣメッセージのいずれかで発信されることができる。例えば、どのＣＳＩ−ＲＳ配置を決めるかのＤＣＩの指示領域（ｉｎｄｉｃａｔｉｏｎ ｆｉｅｌｄ）は、ダウンリンクデータ送信ポイントに用いられる。
【００２９】
他の例では、ＵＥ６０１は、どのＣＳＩ−ＲＳ配置がサービングポイント用かを知っている。非ゼロの送信電力を有するＣＳＩ−ＲＳ配置のサブセットはサービングポイントに用いられる。例えば、非ゼロの送信電力を有する第１のＫ  
ＣＳＩ−ＲＳ配置がサービングポイントに用いられる。なおＫは正の整数である。複数のサービングポイントは、ダウンリンク制御シグナリングポイントに用いられる。例えば、非ゼロの送信電力を有する第１のＫ２  ＣＳＩ−ＲＳ配置がダウンリンク制御シグナリングポイントに用いられる。なお、Ｋ２は正の整数である。ＵＥ６０１は、サービングポイントのＣＳＩ−ＲＳ配置用のＣＳＩフィードバックを提供する。
【００３０】
ステップ６１６では、ＵＥ６０１は、チャネル推定を実行し、新しいＣＳＩ−ＲＳ配置のＣＳＩを測定する。ステップ６１７では、ＵＥ６０１は、ＣＳＩの測定結果を現在のアップリンク受信ポイント６０４に報告する。ＣＳＩの測定結果は、ランクインジケータ（ＲＩ）、チャネル品質インジケータ（ＣＱＩ）、および選択されたサービングポイントのプリコーディングマトリクスインジケータ（ＰＭＩ）を含む。最後に、サービング基地局は、ＣＳＩフィードバック報告に基づいたＵＥ−特定ＭＩＭＯプリコーディングを行うことができる。
【００３１】
アップリンク伝送では、伝送電力は異なるポイント間で異なる。正確なアップリンク電力制御がなければ、１つのＵＥは、他のポイントによってサーブされた他のＵＥと干渉する可能性がある。ＣｏＭＰ配置シナリオ４では、ダウンリンク送信ポイントがアップリンク受信ポイントと異なる場合、ＵＥはアップリンクのパスロスを推定することができない。なぜなら、電力制御の方程式（ｅｑｕａｔｉｏｎ）のアップリンクのパスロス（ＰＬ）がダウンリンクのパスロス推定からくるからである。
【００３２】
図７は、移動通信ネットワーク７００の異なるダウンリンク制御シグナリングポイントおよびアップリンク受信ポイントの一例を例示している。ネットワーク７００は、マクロｅＮＢ７０１、第１のＲＲＨ＃０、第２のＲＲＨ＃１、およびＵＥ７０２を含む。図７の例では、マクロｅＮＢ７０１は、ダウンリンク制御信号およびデータをＵＥ７０２に送信するダウンリンク送信ポイントである。一方、ＲＲＨ＃０は、ＵＥ７０２からアップリンクデータおよびフィードバックを受信するアップリンク受信ポイントである。ダウンリンク送信ポイントおよびアップリンク受信ポイントは異なるため、ＵＥ７０２は、異なるダウンリンクからアップリンクのパスロスを推定することができない。本実施態様では、ダウンリンク制御シグナリングポイント（例えば、マクロｅＮＢ７０１）は、ＣＳＩ−ＲＳ配置情報をＵＥ７０２に伝送するため、ＵＥ７０２は、アップリンク電力制御用にどのダウンリンク基準信号を推定するかがわかる。
【００３３】
図８は、ＣｏＭＰ配置シナリオ４のアップリンク電力制御の一例を例示している。図８の例では、ＵＥ８０１は、１つのダウンリンク制御シグナリングポイント８０３と１つのアップリンク受信ポイント８０４を含む２つのサービングポイント８０２を有する。第１形態では、ダウンリンク制御シグナリングポイント８０３は、送信電力制御（ＴＰＣ）命令をＵＥ８０１に送信する（ステップ８１１）。ＴＰＣ命令は、ＣＳＩ−ＲＳ配置インデックスまたはＣＳＩ−ＲＳポートを含み、ＵＥ８０１はＰＬ推定用に用いることができる。例えば、アップリンク受信ポイント８０４によって用いられる対応のＣＳＩ−ＲＳ配置インデックスは、ＴＰＣ命令を介してＵＥ８０１に送信される。よって、ＵＥ８０１は、アップリンク受信ポイント８０４によって用いられるＣＳＩ−ＲＳに基づいて、ダウンリンクパスロスを推定する（ステップ８１２）。次いで、推定されたパスロスは、アップリンク受信ポイント８０４へのアップリンク送信のために、ＵＥ８０１によって用いられる（ステップ８１３）。
【００３４】
第２の形態では、ダウンリンク制御シグナリングポイント８０３は、上層ＲＲＣシグナリングメッセージをＵＥ８０１に送信する（ステップ８２１）。ＲＲＣメッセージは、ＣＳＩ−ＲＳ配置インデックスまたはＣＳＩ−ＲＳポートを含み、ＵＥ８０１はパスロス推定用に用いることができる。例えば、アップリンク受信ポイント８０４によって用いられる対応のＣＳＩ−ＲＳ配置インデックスは、ＲＲＣメッセージを介してＵＥ８０１に送信される。よって、ＵＥ８０１は、アップリンク受信ポイント８０４によって用いられるＣＳＩ−ＲＳに基づいて、ダウンリンクパスロスを推定する（ステップ８２２）。次いで、推定されたパスロスは、アップリンク受信ポイント８０４へのアップリンク送信のために、ＵＥ８０１によって用いられる（ステップ８２３）。
【００３５】
図９は、本実施態様に基づくＣｏＭＰ配置シナリオ４からの測定およびフィードバック配置の方法のフローチャートである。ステップ９０１では、サービング基地局マクロｅＮＢは、ダウンリンク送信ポイントを通して高層シグナリングによってＵＥを配置する。高層配置は、複数のチャネル状態情報基準信号（ＣＳＩ−ＲＳ）配置を含み、各ＣＳＩ−ＲＳ配置は、非ゼロの伝送電力を有する１つのＣＳＩ−ＲＳリソースとして周波数ドメインおよびタイムドメインの両方のリソース要素（ＲＥ）またはサブキャリアのセットを示している。ステップ９０２では、ＵＥは、複数の配置されたＣＳＩ−ＲＳリソースの基準信号受信電力（ＲＳＲＰ）を測定する。測定結果は、ＣＳＩ−ＲＳでのいくつかの測定の時間平均値である。ステップ９０３では、ＵＥは、ＲＳＲＰの測定結果を現在のアップリンク受信ポイントに報告する。測定報告は、受信信号強度に基づいて、モニターされたＣＳＩ−ＲＳ配置の順序を決める順序リストである。ステップ９０４では、サービングマクロｅＮＢは、ＲＳＲＰの測定結果に基づいてＣＳＩ測定および報告用にサービングポイントを選択する。ステップ９０５では、サービングｅＮＢは、現在のダウンリンク送信ポイントを通してＣＳＩ測定および報告用に新しいＣＳＩ−ＲＳ配置を送信する。ステップ９０６では、ＵＥは、ＣＳＩフィードバック報告用に新しいＣＳＩ−ＲＳ配置のＣＳＩを測定する。最後に、ＣｏＭＰリソース管理セットの高層配置が変わらない場合、ステップ９０２〜９０６が繰り返される。一方、ＣｏＭＰリソース管理セットの高層配置が変わる場合、ステップ９０１〜９０６が繰り返される。
【００３６】
上記は、説明のためにある特定の実施の形態に関連して述べられているが本発明はこれを制限するものではない。
【符号の説明】
【００３７】
１００、２００、７００…移動通信ネットワーク
１０１、３０２、７０１…マクロｅＮＢ
１０２、２０１、３０１、６０１、８０１…ユーザー端末
２０２、６０２、８０２…サービングポイント
３１０…アンテナ
３１１、３３１…ＲＦモジュール
３１２、３３２…ベースバンドモジュール
３１３、３３３…プロセッサ
３１４、３３４…メモリ
３１５、３３５…プロトコルスタック
３１６、３３６…非アクセスストラタム（ＮＡＳ）層
３１７、３３７…無線リソース制御（ＲＲＣ）層
３１８、３３８…パケットデータコンバージェンスプロトコル（ＰＤＣＰ）層
３１９、３３９…無線リンク制御（ＲＬＣ）層
３２０、３４０…メディアアクセス制御（ＭＡＣ）層
３２１、３４１…物理層（ＰＨＹ）
３２２…測定モジュール
３４２…配置モジュール
４００…ＣｏＭＰリソース管理セット
４０１…ＣＳＩ報告セット
４０２…ダウンリンク送信ポイント
４０３…アップリンク受信ポイント
５００…テーブル
６０３、８０２…ダウンリンク送信ポイント
６０４、８０４…アップリンク受信ポイント
【図１】
2014523158.tif 000003
【図２】
2014523158.tif 000004
【図３】
2014523158.tif 000005
【図４】
2014523158.tif 000006
【図５】
2014523158.tif 000007
【図６】
2014523158.tif 000008
【図７】
2014523158.tif 000009
【図８】
2014523158.tif 000010
【図９】
2014523158.tif 000011
【国際調査報告】
2014523158.tif 000012
2014523158.tif 000013